(57)【要約】【課題】庫内灯と製氷装置の動作は各々独立して動作しているため、個別にアクチュエータを動作させるための電力量を電源装置より供給しなければならないため、電力量に見合う高価な電源装置を搭載しなければならないという課題を有していた。【解決手段】庫内灯が点灯した時は、製氷装置の製氷機の離氷モータを一時停止する排他制御し、電力量を低減でき安価な電源装置を搭載する冷蔵庫を提供する。【選択図】図１
2010281501.tif 000002
【特許請求の範囲】
【請求項１】
冷蔵庫本体と、前記冷蔵庫庫内に設けられた庫内灯と、前記庫内灯を入切するドア開閉検知手段と、氷を自動で製氷する製氷機と貯まった氷を排出する排出機で構成された製氷装置で、前記製氷装置を冷蔵庫のドアまたは冷蔵庫本体に取り付け、前記製氷装置で水を受ける製氷皿と、前記製氷皿の水が氷に凝固した温度を検知する前記製氷皿に取り付けた温度検知手段と、前記温度検知手段から検知した温度により、前記製氷皿を回転させる離氷モータにて構成した製氷機で、前記庫内灯の点灯時に前記離氷モータを一時停止することを特徴とする冷蔵庫。
【請求項２】
前記製氷機で蓄えられた氷を押しレバーの操作で外に排出するための氷蓋と、前記氷蓋を開閉する氷蓋モータで構成された排出機で、前記氷蓋モータ駆動中に前記離氷モータを一時停止することを特徴とする請求項１に記載の冷蔵庫。
【発明の詳細な説明】
【技術分野】
【０００１】
本発明は、冷蔵庫の庫内灯が点灯時に製氷機の離氷モータを一時停止し、電源供給の排他制御を行う冷蔵庫に関するものである。
【背景技術】
【０００２】
従来、製氷装置を搭載した冷蔵庫は、庫内灯と製氷装置の動作、またはドア開閉検知と製氷装置の動作は各々独立に動作する（例えば、特許文献１参照）。
【先行技術文献】
【特許文献】
【０００３】
【特許文献１】欧州特許出願公開第１５５９９７２号明細書
【発明の概要】
【発明が解決しようとする課題】
【０００４】
しかしながら、前記従来の構成では、庫内灯と製氷装置の動作は各々独立して動作しているため、個別にアクチュエータを動作させるための電力量を電源装置より供給しなければならないため、電力量に見合う高価な電源装置を搭載しなければならないという課題を有していた。
【０００５】
本発明は、前記従来の課題を解決するもので、庫内灯が点灯した時は、製氷装置の製氷機の離氷モータを一時停止する排他制御することにより、電力量を低減させた安価な電源装置を供給することができる冷蔵庫を提供することを目的とする。
【課題を解決するための手段】
【０００６】
前記従来の課題を解決するために、冷蔵庫本体と、前記冷蔵庫庫内に設けられた庫内灯と、前記庫内灯を入切するドア開閉検知手段と、氷を自動で製氷する製氷機と貯まった氷を排出する排出機で構成された製氷装置で、前記製氷装置を冷蔵庫のドアまたは冷蔵庫本体に取り付ける。
【０００７】
本構成によって、冷蔵庫の動作と製氷装置の動作を独立にする。
【０００８】
本発明の冷蔵庫は、水を受ける製氷皿と、前記製氷皿の水が氷に凝固した温度を検知する前記製氷皿に取り付けた温度検知手段と、前記温度検知手段から検知した温度により、前記製氷皿を回転させる離氷モータで構成した製氷機で、前記庫内灯の点灯時に前記離氷モータを一時停止する。
【０００９】
本構成によって、庫内灯が点灯した時は、製氷装置の製氷機の離氷モータを一時停止する排他制御し、電力量を低減でき安価な電源装置を搭載することができる。
【００１０】
本発明の冷蔵庫は、前記製氷機で蓄えられた氷を押しレバーの操作で外に排出するための氷蓋と、前記氷蓋を開閉する氷蓋モータで構成された排出機で、前記氷蓋モータ駆動中に前記離氷モータを一時停止する。
【００１１】
本構成によって、押しレバーと連動し氷蓋の開閉を動作させる氷蓋モータが動作中に、製氷機の離氷モータを一時停止する排他制御により、電力量を低減でき安価な電源装置を供給することができる。
【発明の効果】
【００１２】
本発明の冷蔵庫は、庫内灯が点灯した時は、製氷装置の製氷機の離氷モータを一時停止する排他制御と、押しレバーと連動し氷蓋の開閉を動作させる氷蓋モータが動作中に、製氷機の離氷モータを一時停止する排他制御により、ピーク電力量を低減でき安価な回路構成で電源供給をすることができる。
【図面の簡単な説明】
【００１３】
【図１】本発明の実施の形態１における冷蔵庫の正面図
【図２】本発明の実施の形態１における冷蔵庫の製氷機の構成図
【図３】本発明の実施の形態１における冷蔵庫の製氷機の制御ブロック図
【図４】本発明の実施の形態１における冷蔵庫の製氷機の制御フローチャート
【図５】本発明の実施の形態１における冷蔵庫の排出機の構成図
【図６】本発明の実施の形態２における冷蔵庫の排出機の制御ブロック図
【図７】本発明の実施の形態２における冷蔵庫の排出機の制御フローチャート
【図８】従来の冷蔵庫の断面図
【発明を実施するための形態】
【００１４】
請求項１に記載の発明は、冷蔵庫本体と、冷蔵庫本体と、前記冷蔵庫庫内に設けられた庫内灯と、前記庫内灯を入切するドア開閉検知手段と、氷を自動で製氷する製氷機と貯まった氷を排出する排出機で構成された製氷装置で、前記製氷装置を冷蔵庫のドアまたは冷蔵庫本体に取り付け、前記製氷装置で水を受ける製氷皿と、前記製氷皿の水が氷に凝固した温度を検知する前記製氷皿に取り付けた温度検知手段と、前記温度検知手段から検知した温度により、前記製氷皿を回転させる離氷モータにて構成した製氷機で、前記庫内灯の点灯時に前記離氷モータを一時停止することを特徴とする前記製氷装置で水を受ける製氷皿と、前記製氷皿の水が氷に凝固した温度を検知する前記製氷皿に取り付けた温度検知手段と、前記温度検知手段から検知した温度により、前記製氷皿を回転させる離氷モータで構成した製氷機で、前記庫内灯の点灯時に前記離氷モータを一時停止するため、庫内灯が点灯した時は、製氷装置の製氷機の離氷モータを一時停止する排他制御により、ピーク電力量を低減でき安価な回路構成で電源供給をすることができる。
【００１５】
請求項２に記載の発明は、前記製氷機で蓄えられた氷を押しレバーの操作で外に排出するための氷蓋と、前記氷蓋を開閉する氷蓋モータで構成された排出機で、前記氷蓋モータ駆動中に前記離氷モータを一時停止するため、氷蓋モータが動作時は、製氷装置の製氷機の離氷モータを一時停止する排他制御により、ピーク電力量を低減でき安価な回路構成で電源供給をすることができる。
【００１６】
（実施の形態１）
図１は、本発明の実施の形態１における冷蔵庫の正面図である。
【００１７】
図１において、冷蔵庫本体１の前面には各貯蔵室用のドアがあり、冷凍室ドア２、冷蔵室ドア３がレイアウトされている。冷蔵室ドア３の中央部付近には操作基板４が設けられている。
【００１８】
また、冷蔵庫本体１の庫内には、ドアの開閉状態を検知するドア開閉検知手段６と、庫内の照明を行う庫内灯５が配置されている。
【００１９】
また、氷を自動で製氷する製氷機８と貯まった氷を排出する排出機９で構成された製氷装置７が、冷凍室ドア２に配置されている。
【００２０】
尚、ドアのレイアウトは代表的なものであって、冷蔵庫本体１に製氷装置７が配置され
るケースもあり、このレイアウトに限定されるものではない。
【００２１】
以上のように構成された冷蔵庫について、以下その動作、作用を説明する。
【００２２】
図２は、本発明の実施の形態１における冷蔵庫の製氷機の構成図である。
【００２３】
図２において、１０は製氷皿で水を受け構造となっている。
【００２４】
１１は離氷モータであり、前記製氷皿１０と接続し使用する。
【００２５】
１４は温度検知手段であり、前記製氷皿１０の温度を検知しており、冷蔵庫本体の冷凍機能により、前記製氷皿に受けている水が氷に凝固した温度を検知する。
【００２６】
前記離氷モータ１４は、前記温度検知手段１４が前記製氷皿１０に受けた水が氷に凝固したと判断したら、前記製氷皿１０を回転させ、前記製氷皿１０の氷を剥がし落とす動作を行う。
【００２７】
図３は、本発明の実施の形態１における冷蔵庫の製氷機の制御ブロック図である。
【００２８】
図３において、制御装置１２は、ドア開閉検知手段６と接続されており、ドア開閉の状態を検知することができる。また制御装置１２はドア開閉検知手段の状態により庫内灯駆動手段１３を介して庫内灯５を点灯、消灯を動作させる。
【００２９】
また制御装置１０は、製氷皿１４の温度を検知する温度検知手段１４と接続されとり、製氷皿１０の水が氷に凝固する温度を検知したら、制御装置１２からモータ駆動手段１５を介して離氷モータ１１を動作させ、製氷皿１４の氷を剥がし落とす動作を行う。
【００３０】
また、制御装置１２、及び周辺の庫内灯５、離氷モータ１１は、電源装置１６から電力を供給している。
【００３１】
図４の本発明の実施の形態１における冷蔵庫の製氷機の制御フローチャートにより動作の説明を行う。
【００３２】
ステップ０は、冷蔵庫本体１の冷却動作をおこなうメイン制御フローである。
【００３３】
ステップ１は、製氷皿１０の温度検知手段からの検知温度がＸ℃以下であれば氷の状態であるため、ステップ２へ、Ｘ℃以上ならば水の状態のためステップ３へ移行する。
【００３４】
ステップ２では、製氷皿１０の氷を離氷するため離氷モータ１１を動作させる。
【００３５】
ステップ３では、製氷皿１０が水のため離氷モータを停止状態にする。
【００３６】
ステップ４では、冷蔵庫本体１の冷凍室ドア２が開閉したかをドア開閉検知手段６の情報で判断する。
【００３７】
ドアあいていればＹｅｓとなり、ステップ５へ移行する。ドアがあいていなければ、Ｎｏとなり、ステップ８へ移行する。
【００３８】
ステップ５では、冷凍室ドア２が開の状態であるため、庫内灯５を点灯状態にし、ステップ６で、離氷モータが駆動中であれば、Ｙｅｓとなりステップ７の離氷モータを一時的
に停止する。またステップ６でＮｏならば何もせずメイン制御フローに戻る。
【００３９】
ステップ８では、冷凍室ドア２が閉の状態であるため、庫内灯５を消灯状態にし、ステップ９で、離氷モータが駆動中であれば、Ｙｅｓとなりステップ７の離氷モータを駆動する。
またステップ９でＮｏならば何もせずメイン制御フローに戻る。
【００４０】
以上のように、本実施の形態においては、水を受ける製氷皿１０と、前記製氷皿１０の水が氷に凝固した温度を検知する前記製氷皿１０に取り付けた温度検知手段１４と、前記温度検知手段１４から検知した温度により、前記製氷皿１０を回転させる離氷モータ１１で構成した製氷機８で、前記庫内灯５の点灯時に前記離氷モータ１１を一時停止するため、庫内灯５が点灯した時は、製氷装置７の製氷機８の離氷モータ１１を一時停止する排他制御し、電力量を低減でき安価な電源装置１６を搭載することができる。
【００４１】
（実施の形態２）
図５は、本発明の実施の形態２における冷蔵庫の排出機の構成図である。
【００４２】
図５において、９は排出機である。
１７は押しレバーで、押されることにより、氷蓋１８を氷蓋モータ１９を駆動することで、製氷機８で生成した氷を外に排出する。
【００４３】
図６は、本発明の実施の形態１における冷蔵庫の排出機の制御ブロック図である。
【００４４】
図６において、制御装置１２は、押しレバー１７と接続されており、押しレバーの状態を検知することができる。また制御装置１２は押しレバーの状態によりモータ駆動手段２１を介して氷蓋モータ１９を駆動し、氷蓋１８を開閉動作させる。
【００４５】
また制御装置１０は、製氷皿１４の温度を検知する温度検知手段１４と接続されとり、製氷皿１０の水が氷に凝固する温度を検知したら、制御装置１２からモータ駆動手段１５を介して離氷モータ１１を動作させ、製氷皿１４の氷を剥がし落とす動作を行う。
【００４６】
また、制御装置１２及び周辺の氷蓋モータ１９、離氷モータ１１は、電源装置１６から電力を供給している。
【００４７】
図７の本発明の実施の形態１における冷蔵庫の排出機の制御フローチャートにより動作の説明を行う。
【００４８】
ステップ０は、冷蔵庫本体１の冷却動作をおこなうメイン制御フローである。
【００４９】
ステップ１は、製氷皿１０の温度検知手段からの検知温度がＸ℃以下であれば氷の状態であるため、ステップ２へ、Ｘ℃以上ならば水の状態のためステップ３へ移行する。
【００５０】
ステップ２では、製氷皿１０の氷を離氷するため離氷モータ１１を動作させる。
【００５１】
ステップ３では、製氷皿１０が水のため離氷モータを停止状態にする。
【００５２】
ステップ４では、製氷装置７の排出機９の押しレバー１７が押されたかを判断する。
【００５３】
押しレバーが押されていればＹｅｓとなり、ステップ５へ移行する。押しレバー１７押されていなければ、Ｎｏとなり、ステップ８へ移行する。
【００５４】
ステップ５では、押しレバーが押された状態であるため、氷蓋モータを駆動し、氷蓋１８を開の状態にする。
【００５５】
ステップ６で、離氷モータが駆動中であれば、Ｙｅｓとなりステップ７の離氷モータを一時的に停止する、またステップ６でＮｏならば何もせずメイン制御フローに戻る。
【００５６】
ステップ８では、押しレバーが押されていない状態であるため、氷蓋モータを駆動し、氷蓋１８を閉の状態にする。
【００５７】
ステップ９で、離氷モータが駆動中であれば、Ｙｅｓとなりステップ７の離氷モータを一時的に停止する、またステップ６でＮｏならば何もせずメイン制御フローに戻る。
またステップ９でＮｏならば何もせずメイン制御フローに戻る。
【００５８】
以上のように、本実施の形態においては、前記製氷機８で蓄えられた氷を押しレバー１７の操作で外に排出するための氷蓋１８と、前記氷蓋１８を開閉する氷蓋モータ１９で構成された排出機９で、前記氷蓋モータ１９駆動中に前記離氷モータ１１を一時停止するため、氷蓋モータ１９が動作時は、製氷装置７の製氷機の離氷モータ１１を一時停止する排他制御により、電力量を低減でき安価な電源装置１６を搭載することができる。
【産業上の利用可能性】
【００５９】
本発明にかかる冷蔵庫は、庫内灯が点灯した時は、製氷装置の製氷機の離氷モータを一時停止する排他制御し、電力量を低減させた安価な電源装置を搭載した冷蔵庫であり他の機器と連動したシステムキッチン収納庫や各種貯蔵庫等の他制御にも応用できるものである。
【符号の説明】
【００６０】
１  冷蔵庫本体
２  冷凍室ドア
３  冷蔵室ドア
４  操作基板
５  庫内灯
６  ドア開閉検知手段
７  製氷装置
８  製氷機
９  排出機
１０  製氷皿
１１  離氷モータ
１２  制御装置
１３  庫内灯駆動手段
１４  温度検知手段
１５  モータ駆動手段
１６  電源装置
１７  押しレバー
１８  氷蓋
１９  氷蓋モータ
２０  モータ駆動手段
【図３】
2010281501.tif 000003
【図４】
2010281501.tif 000004
【図６】
2010281501.tif 000005
【図７】
2010281501.tif 000006
【図１】
2010281501.tif 000007
【図２】
2010281501.tif 000008
【図５】
2010281501.tif 000009
【図８】
2010281501.tif 000010